(57)【要約】      （修正有）【課題】パソコンでの作業中に、整然と複数の付箋紙を利用することができ、かつ、カレンダーを備えることにより、日程の確認を容易に行うことができるパソコンモニター用付箋紙掲示ボードを提供する。【解決手段】板状体による本体に、パソコン又は付属機器に付設することができる両面接着部又は吸盤等の取付部が設けられたパソコン用付箋掲示ボードであって、本体１０に１枚のシートに１カ月分または複数カ月分が印刷されているシート状カレンダー２０が備えられている。シート状カレンダーは、着脱可能に備えられていてもよく、敷設対象のパソコンモニター４０等の形状に合わせて、種々の装着形態を備えていてもよい。【選択図】図３
0003222917.tif 000002
【実用新案登録請求の範囲】
【請求項１】
板状体による本体に、パソコン又は付属機器に付設することができる両面接着部又は吸盤等の取付部が設けられたパソコン用付箋掲示ボードであって、本体に１枚のシートに１カ月分または複数カ月分が印刷されているシート状カレンダーが備えられていることを特徴とするパソコンモニター用付箋掲示ボード。
【請求項２】
前記シート状カレンダーが、着脱可能に備えられていることを特徴とする請求項１に記載のパソコンモニター用付箋掲示ボード。
【請求項３】
前記両面接着部又は吸盤等の取付部が、前記板状体による本体の前記シート状カレンダーが備えられている面に設けられていることを特徴とする請求項１又は請求項２のいずれか１項に記載のパソコンモニター用付箋掲示ボード。
【請求項４】
前記板状体による本体が所定の厚さを有し、前記板状体による本体の、前記シート状カレンダーが備えられている面とその裏側の面の間の立直側面である側周表面に、前記両面接着部又は吸盤等の取付部が設けられていることを特徴とする請求項１又は請求項２のいずれか１項に記載のパソコンモニター用付箋掲示ボード。
【請求項５】
前記板状体による本体の、１又は複数の辺が折曲されており、該折曲面の前記シート状カレンダーが備えられている面と連続する面に、前記両面接着部又は吸盤等の取付部が設けられていることを特徴とする請求項１又は請求項２のいずれか１項に記載のパソコンモニター用付箋掲示ボード。
【考案の詳細な説明】
【技術分野】
【０００１】
本考案は、カレンダーを備える、デスクトップパソコンのモニター・キーボードやノートパソコンに付箋紙を貼付するときに使用する掲示ボードに関する。
【背景技術】
【０００２】
パソコンで作業を行う際に、カレンダーアプリケーションなどのいわゆる「ｔｏ  ｄｏリスト」だけで工程を管理しようとすると、作業中の画面を切り替える必要があり、煩雑であるため、裏面に複数回の剥離に耐える弱粘着剤が塗布された付箋紙を、モニター周辺などに貼付してメモとして使用することが多い。しかし、パソコンモニターにランダムに付箋紙を貼付すると、雑然とした印象を与えるだけでなく、優先順位が不明になり、工程管理上不便であるという問題があった。
【０００３】
このため、上述したような問題点を解決するために、二つ折り可能なる適度の剛性を有する板体による本体を設け、該本体の裏面の両端の近傍に所定巾の係着手段を設けたことを特徴とするパソコンモニター用付箋掲示ボードが知られている（特許文献１等参照）。
【０００４】
すなわち、従来この種のパソコンモニター用付箋掲示ボードにおいては、パソコンモニター側部に張り出してボードを粘着させる方式のため、このボードに付箋紙を粘着させても付箋紙はこのボード面積内に位置するため、整然と複数の付箋紙を利用することができ、また、二つ折りにした本体の両側端をモニターに粘着させるので、平面視略三角形状となって本体の押圧変形を防ぎ、粘着方式によりにその着脱が容易に可能になるようにしていた。
【先行技術文献】
【特許文献】
【０００５】
【特許文献１】特開２０１４−７１４４７号公報
【考案の概要】
【考案が解決しようとする課題】
【０００６】
しかし、工程管理上は、単にメモ用の付箋紙を見やすく貼付することができるだけでなく、工程の進行状況と納期などの日程とを照合し、工程の進捗状況を確認しなければならないことが多く、これを上述したカレンダーアプリケーションなどで行おうとすると、やはり作業中の画面を切り替える必要があり、煩雑であるという問題があった。
【０００７】
本考案はこのような事情に鑑みてなされたものであり、パソコンでの作業中に、整然と複数の付箋紙を利用することができ、かつ、カレンダーを備えることにより、日程の確認を容易に行うことができるパソコンモニター用付箋紙掲示ボードを得ることを目的とする。
【課題を解決するための手段】
【０００８】
このような目的に応えるために本考案に係るパソコンモニター用付箋紙掲示ボードは、板状体による本体に、パソコン又は付属機器に付設することができる両面接着部又は吸盤等の取付部が設けられたパソコン用付箋掲示ボードであって、本体に１枚のシートに１カ月分または複数カ月分が印刷されているシート状カレンダーが備えられていることを特徴とする。
【０００９】
このように構成することにより、整然と複数の付箋紙を作業用パソコン周辺機器に貼付することができ、かつ、パソコンのカレンダーアプリケーションを立ち上げたり、手用を参照したりすることなく、日程の確認を容易に行うことができる。
【００１０】
また、本考案に係るパソコンモニター用付箋紙掲示ボードは、前記シート状カレンダーが、着脱可能に備えられていることを特徴とする。
【００１１】
このように構成することにより、年次が変わってもカレンダーを交換することにより、付箋紙掲示ボードの使用を継続することができ、また、年末年始には２年分のカレンダーを貼付して使用することもできる。
【００１２】
一方、本考案に係るパソコンモニター用付箋紙掲示ボードは、前記両面接着部又は吸盤等の取付部が、前記板状体による本体の前記シート状カレンダーが備えられている面に設けられていることを特徴とする。
【００１３】
このように構成することにより、パソコンモニターの表面の画像表示部の外側の周辺部が狭い場合や、ノートパソコンを使用する場合に、パソコンモニターの画像表示部の裏側の面に付箋紙掲示ボードを取り付けて、付箋紙の内容やカレンダーを閲覧することができる。
【００１４】
さらに、本考案に係るパソコンモニター用付箋紙掲示ボードは、前記板状体による本体が所定の厚さを有し、前記板状体による本体の、前記シート状カレンダーが備えられている面とその裏側の面の間の立直側面である側周表面に、前記両面接着部又は吸盤等の取付部が設けられていることを特徴とする。
【００１５】
このように構成することにより、パソコンモニターの表面の画像表示部の外側の周辺部が狭い場合に、パソコンモニターの側面や上面に付箋紙掲示ボードを取り付けて、付箋紙の内容やカレンダーを閲覧することができる。
【００１６】
そして、本考案に係るパソコンモニター用付箋紙掲示ボードは、前記板状体による本体の、１又は複数の辺が折曲されており、該折曲面の前記シート状カレンダーが備えられている面と連続する面に、前記両面接着部又は吸盤等の取付部が設けられていることを特徴とする。
【００１７】
このように構成することにより、パソコンモニターの表面の画像表示部の外側の周辺部が狭い場合に、パソコンモニターの側面や上面に取り付けて使用する付箋紙掲示ボードを軽量化することができる。
【考案の効果】
【００１８】
以上説明したように、本考案に係るパソコンモニター用付箋紙掲示ボードによれば、パソコン使用の様々な局面において、整然と複数の付箋紙を作業用パソコン周辺機器に貼付することができ、かつ、パソコンのカレンダーアプリケーションを立ち上げたり、手用を参照したりすることなく、日程の確認を容易に行うことができるという優れた利点がある。
【図面の簡単な説明】
【００１９】
また、本考案によれば、携帯端末保護具をスマートフォンスタンドとしても活用することができる。
特に、本考案によれば、構造が単純なため、製作コストを抑えることができるという利点がある。
【図１】本考案に係るパソコンモニター用付箋紙掲示ボードの第一の実施形態を示し、パソコンモニター用付箋紙掲示ボードを正面側から見た斜視図である。
【図２】図１のパソコンモニター用付箋紙掲示ボードを背面側から見た斜視図である。
【図３】図１のパソコンモニター用付箋紙掲示ボードをパソコンモニターに装着した状態の斜視図である。
【図４】本考案に係るパソコンモニター用付箋紙掲示ボードの第二の実施形態を示し、（ａ）はパソコンモニター用付箋紙掲示ボードからカレンダーを取り外した状態を正面側から見た斜視図、（ｂ）はパソコンモニター用付箋紙掲示ボードからカレンダーを取り外した状態の側面図、（ｃ）はパソコンモニター用付箋紙掲示ボードにカレンダーを装着した状態の側面図である。
【図５】本考案に係るパソコンモニター用付箋紙掲示ボードの第三の実施形態を示し、パソコンモニター用付箋紙掲示ボードを正面側から見た斜視図である。
【図６】図５のパソコンモニター用付箋紙掲示ボードをパソコンモニターに装着した状態の斜視図である。
【図７】本考案に係るパソコンモニター用付箋紙掲示ボードの第四の実施形態を示し、パソコンモニター用付箋紙掲示ボードを正面側から見た斜視図である。
【図８】図７のパソコンモニター用付箋紙掲示ボードをパソコンモニターに装着した状態の斜視図である。
【図９】本考案に係るパソコンモニター用付箋紙掲示ボードの第五の実施形態を示し、パソコンモニター用付箋紙掲示ボードを正面側から見た斜視図である。
【図１０】図９のパソコンモニター用付箋紙掲示ボードをパソコンモニターに装着した状態の斜視図である。
【考案を実施するための形態】
【００２０】
図１ないし図３は本考案に係るパソコンモニター用付箋紙掲示ボードの第一の実施形態を示すものである。
【００２１】
図１においてこれを簡単に説明すると、長手方向と短手方向を有する板状部材からなる板状本体１０の一方の面に、カレンダー２０が貼付されている。カレンダー２０のカレンダーはリング２１で綴じられており、めくって別な月を表示することができる。
【００２２】
図２は図１の板状本体１０を裏面から見たものであり、板状本体１０の長手方向の１辺に沿って、両面接着部３０が設けられ、その一方の面が板状本体１０の、カレンダーを取り付けていない方の面に貼付されている。
【００２３】
図３は、図２の両面接着部３０をパソコンモニター４０に貼付した状態を示す。このように本考案に係るパソコンモニター用付箋紙掲示ボードをパソコンモニター４０に貼付することによって、使用者は付箋紙を板状本体１０に貼付した状態で、付箋紙を見ながら同時にカレンダー２０を見ることができる。
【００２４】
図４は本考案に係るパソコンモニター用付箋紙掲示ボードの第二の実施形態を示すものである。本実施形態においては、カレンダーが着脱可能となっており、（ａ）は、カレンダー２０を取り外した板状本体１０をカレンダー取付面側から見たもので、両面接着部２２がカレンダー取付面に設けられており、（ｂ）はカレンダー２０を取り付けた板状本体１０を、側面から見たもの、（ｃ）は、カレンダー２０を取り外した板状本体１０を、側面から見たものである。
【００２５】
図５は、本考案に係るパソコンモニター用付箋紙掲示ボードの第三の実施形態を示すものである。板状本体１１のカレンダー取付面の、板状本体１１の長手方向の１辺に沿って、両面接着部３１が設けられている。
【００２６】
図６は、図５の両面接着部３１をパソコンモニター４１に貼付した状態を示す。パソコンモニター４１は、画像表示部の外側の周辺部が狭いので、このように本考案に係るパソコンモニター用付箋紙掲示ボードをパソコンモニター４１の画像表示部の裏側に貼付することによって、使用者は箋紙掲示ボードに画像の一部を遮られることなく、付箋紙を板状本体１１に貼付した状態で、付箋紙を見ながら同時にカレンダー２０を見ることができる。ノートパソコンを使用する際にも、同様の使用方法で使用することができる。
【００２７】
図７は、本考案に係るパソコンモニター用付箋紙掲示ボードの第四の実施形態を示すものである。板状本体１２はパソコンモニター４２側面の身近手方向の幅とほぼ同一の厚さを有し、板状本体１２のカレンダー取付面とその裏面の間の立直側面に、両面接着部３２が設けられている。
【００２８】
図８は、図７の両面接着部３２をパソコンモニター４２の側面に貼付した状態を示す。パソコンモニター４２は、画像表示部の外側の周辺部が狭いので、このように本考案に係るパソコンモニター用付箋紙掲示ボードをパソコンモニター４２の側面に貼付することによって、使用者は箋紙掲示ボードに画像の一部を遮られることなく、付箋紙を板状本体１２に貼付した状態で、付箋紙を見ながら同時にカレンダー２０を見ることができる。
【００２９】
図９は、本考案に係るパソコンモニター用付箋紙掲示ボードの第五の実施形態を示すものである。板状本体１３はパソコンモニター４３側面の身近手方向の幅とほぼ同一の幅の略直角に折り曲げられた折曲部１４を有し、板状本体１３のカレンダー取付面と同一側の面に、両面接着部３３が設けられている。
【００３０】
図１０は、図９の両面接着部３３をパソコンモニター４３の側面に貼付した状態を示す。パソコンモニター４３は、画像表示部の外側の周辺部が狭いので、このように本考案に係るパソコンモニター用付箋紙掲示ボードをパソコンモニター４３の側面に貼付することによって、使用者は箋紙掲示ボードに画像の一部を遮られることなく、付箋紙を板状本体１３に貼付した状態で、付箋紙を見ながら同時にカレンダー２０を見ることができる。
【００３１】
以上の構成によれば、本考案に係るパソコンモニター用付箋紙掲示ボードにより、パソコンを使用する様々な局面において、付箋紙を整然と貼付しつつ、パソコンのカレンダーアプリケーションを起動したり、手帳を開けたりすることなく、付箋紙に書かれたメモを参照しながらカレンダーを閲覧することができる。
【００３２】
なお、本考案は上述した実施の形態で説明した構造には限定されず、各部の形状、構造等を適宜変形、変更し得ることはいうまでもない。
【００３３】
例えば、図５において示した実施の形態のバリエーションとして、両面接着部を下方に短手方向に沿った下辺に設けることにより、キーボードの背面に取り付けこともできる。
【産業上の利用可能性】
【００３４】
本考案のパソコンモニター用付箋紙掲示ボードは、主としてパソコンに用いられるものではあるが、ＴＶモニターやゲーム機などにも使用することができるだけでなく、オフィスや家庭の目につきやすい場所で所定の広さの平面を有するものであれば、両面接着部によって取り付けることができる。これらもまた本考案の権利範囲である。
【符号の説明】
【００３５】
１０    板状本体
１１    板状本体
１２    板状本体
１３    板状本体
１４    折曲部
２０    カレンダー
２１    リング
２２    両面接着部
３０    両面接着部
３１    両面接着部
３２    両面接着部
３３    両面接着部
４０    パソコンモニター
４１    パソコンモニター
４２    パソコンモニター
４３    パソコンモニター
【図１】
0003222917.tif 000003
【図２】
0003222917.tif 000004
【図３】
0003222917.tif 000005
【図４】
0003222917.tif 000006
【図５】
0003222917.tif 000007
【図６】
0003222917.tif 000008
【図７】
0003222917.tif 000009
【図８】
0003222917.tif 000010
【図９】
0003222917.tif 000011
【図１０】
0003222917.tif 000012